(57)【特許請求の範囲】
【請求項１】
制御装置と複数個のディスプレイからなるマルチディスプレイシステムであって、
各ディスプレイは、透過型液晶パネルと、前記透過型液晶パネルの背面に配置されるバックライトと、電源と、制御部とを備え、
前記制御装置および前記複数個のディスプレイは、デイジーチェーンで接続され、
前記制御装置は、バックライトに電力を供給する待ち時間を表わす数値を含むコマンドを接続されているディスプレイへ送信し、
各ディスプレイの制御部は、第１のポートを通じて受信した前記コマンドに含まれる前記待ち時間を表わす数値に従って、前記電源からバックライトに電力を供給させるとともに、前記受信したコマンドに含まれる前記待ち時間を表わす数値を増加して修正した前記コマンドを第２のポートを通じて次のディスプレイへ送信し、
前記待ち時間を表わす数値を記憶するメモリをさらに備え、
前記制御部は、電源スイッチがオンにされた後、前記メモリから前記待ち時間を表わす数値を読み出し、前記透過型液晶パネルに表示する映像信号が入力されないときには、前記透過型液晶パネルに表示する映像信号がない旨のメッセージを出力し、前記メッセージを出力してから前記数値に応じた待ち時間が経過した後に前記電源から前記バックライトに一定時間電力を供給させ、その後、前記電源から前記バックライトへの電力の供給を停止させる、マルチディスプレイシステム。
【請求項２】
制御装置と複数個のディスプレイからなるマルチディスプレイシステムであって、
各ディスプレイは、透過型液晶パネルと、前記透過型液晶パネルの背面に配置されるバックライトと、電源と、制御部とを備え、
前記制御装置および前記複数個のディスプレイは、デイジーチェーンで接続され、
前記制御装置は、前記バックライトに電力を供給する待ち時間を表わし、かつ前記各ディスプレイ内の前記バックライトおよび前記制御部以外の負荷回路に電力を供給する待ち時間を表わす数値を含むコマンドを接続されているディスプレイへ送信し、
各ディスプレイの制御部は、第１のポートを通じて受信した前記コマンドに含まれる前記待ち時間を表わす数値に従って、前記負荷回路および前記バックライトに電力を供給するとともに、前記受信したコマンドに含まれる前記待ち時間を表わす数値を増加して修正した前記コマンドを第２のポートを通じて次のディスプレイへ送信し、
前記待ち時間を表わす数値を記憶するメモリをさらに備え、
前記制御部は、電源スイッチがオンにされた後、前記メモリから前記待ち時間を表わす数値を読み出し、前記透過型液晶パネルに表示する映像信号が入力されないときには、前記透過型液晶パネルに表示する映像信号がない旨のメッセージを出力し、前記メッセージを出力してから前記数値に応じた待ち時間が経過した後に前記電源から前記バックライトに一定時間電力を供給させ、その後、前記電源から前記バックライトへの電力の供給を停止させる、マルチディスプレイシステム。
【請求項３】
前記制御部は、前記バックライトへの電力の供給を停止後、前記透過型液晶パネルに表示する映像信号が入力されたときには、さらに、前記数値に応じた待ち時間に基づいて、前記バックライトへの電力の供給を再開させる、請求項１または２記載のマルチディスプレイシステム。
【請求項４】
前記待ち時間を表わす数値は、整数値であり、
各ディスプレイの制御部は、前記コマンドに含まれる前記待ち時間を表わす数値を自身のＩＤ番号とする、請求項１または２に記載のマルチディスプレイシステム。
【請求項５】
各ディスプレイの制御部は、前記コマンドに含まれる前記待ち時間を表わす数値を１だけ増加して修正した前記コマンドを次のディスプレイへ送信する、請求項４記載のマルチディスプレイシステム。
【請求項６】
各ディスプレイの制御部は、前記待ち時間を表わす数値に一定の係数を乗算した値を前記電源から電力を供給するまでの待ち時間とする、請求項５記載のマルチディスプレイシステム。
【発明の詳細な説明】
【技術分野】
【０００１】
本発明は、マルチディスプレイシステムに関する。
【背景技術】
【０００２】
マルチディスプレイシステムでは、複数のディスプレイが併設され、複数のディスプレイで１つの画面が表示される。これによって、サイズの大きな画像を表示することができる。
【０００３】
マルチディスプレイシステムでは、電源がオンすると複数のディスプレイが同時に起動する。そのため、電源起動時に発生する突入電流が設置台数分流れ、ブレーカーやヒューズが切れたりする問題がある。
【０００４】
このような問題に対して、たとえば特許文献１（特開２００７−１７８９９号公報）には、各液晶パネル１０の液晶層への印加電圧の極性を一定周期で切り替え、各液晶パネル１０の一対の透明基板に設けられた電極の電位を切替えるタイミングを、液晶パネル１０ごとに異ならせるような複数の液晶パネル１０の駆動方法が開示されている。これによって、突入電流によるブレーカーやヒューズが切れるトラブルを回避できることができる。
【先行技術文献】
【特許文献】
【０００５】
【特許文献１】特開２００７−１７８９９号公報
【発明の概要】
【発明が解決しようとする課題】
【０００６】
しかしながら、特許文献１（特開２００７−１７８９９号公報）に記載の駆動方法では、各液晶パネル１０に対して共通の制御部が設けられている。この共通の制御部と各液晶パネル１０との間に、制御信号を伝送するためのケーブルが必要となる。液晶パネル１０の大きさが大きい場合や、制御部と液晶パネル１０との間が離れている場合には、このケーブルが長くなる。ケーブルが長くなると、制御信号を適切にドライブすることができなくなったりすることがある。
【０００７】
それゆえに、本発明の目的は、共通の制御部によって複数のディスプレイの電源を起動するタイミングを制御することなく、電源起動時に発生する突入電流によりブレーカーやヒューズが切れるトラブルを回避できることができるマルチディスプレイシステムを提供することである。
【課題を解決するための手段】
【０００８】
上記課題を解決するために、本発明は、制御装置と複数個のディスプレイからなるマルチディスプレイシステムであって、各ディスプレイは、透過型液晶パネルと、透過型液晶パネルの背面に配置されるバックライトと、電源と、制御部とを備え、制御装置および複数個のディスプレイは、デイジーチェーンで接続され、制御装置は、バックライトに電力を供給する待ち時間を表わす数値を含むコマンドを接続されているディスプレイへ送信し、各ディスプレイの制御部は、第１のポートを通じて受信したコマンドに含まれる待ち時間を表わす数値に従って、電源からバックライトに電力を供給させるとともに、受信したコマンドに含まれる待ち時間を表わす数値を増加して修正したコマンドを第２のポートを通じて次のディスプレイへ送信する。
【０００９】
本発明は、制御装置と複数個のディスプレイからなるマルチディスプレイシステムであって、各ディスプレイは、透過型液晶パネルと、透過型液晶パネルの背面に配置されるバックライトと、電源と、制御部とを備え、制御装置および複数個のディスプレイは、デイジーチェーンで接続され、制御装置は、各ディスプレイ内のバックライトおよび制御部以外の負荷回路に電力を供給する待ち時間を表わす数値を含むコマンドを接続されているディスプレイへ送信し、各ディスプレイの制御部は、第１のポートを通じて受信したコマンドに含まれる待ち時間を表わす数値に従って、電源から負荷回路に電力を供給するとともに、受信したコマンドに含まれる待ち時間を表わす数値を増加して修正したコマンドを第２のポートを通じて次のディスプレイへ送信する。
【００１０】
本発明は、制御装置と複数個のディスプレイからなるマルチディスプレイシステムであって、各ディスプレイは、透過型液晶パネルと、透過型液晶パネルの背面に配置されるバックライトと、電源と、制御部とを備え、制御装置および複数個のディスプレイは、デイジーチェーンで接続され、制御装置は、バックライトに電力を供給する待ち時間を表わし、かつ各ディスプレイ内のバックライトおよび制御部以外の負荷回路に電力を供給する待ち時間を表わす数値を含むコマンドを接続されているディスプレイへ送信し、各ディスプレイの制御部は、第１のポートを通じて受信したコマンドに含まれる待ち時間を表わす数値に従って、負荷回路およびバックライトに電力を供給するとともに、受信したコマンドに含まれる待ち時間を表わす数値を増加して修正したコマンドを第２のポートを通じて次のディスプレイへ送信する。
【００１１】
好ましくは、待ち時間を表わす数値を記憶するメモリをさらに備え、制御部は、電源スイッチがオンにされた後、メモリから待ち時間を表わす数値を読み出してから数値に応じて待ち時間が経過した後に電源から負荷回路に電力を供給させる。
【００１２】
好ましくは、待ち時間を表わす数値を記憶するメモリをさらに備え、制御部は、電源スイッチがオンにされた後、メモリから待ち時間を表わす数値を読み出し、液晶パネルに表示する映像信号が入力されないときには、液晶パネルに表示する映像信号がない旨のメッセージを出力し、メッセージを出力してから数値に応じた待ち時間が経過した後に電源からバックライトに一定時間電力を供給させ、その後、電源からバックライトへの電力の供給を停止させる。
【００１３】
好ましくは、制御部は、バックライトへの電力の供給を停止後、液晶パネルに表示する映像信号が入力されたときには、さらに、数値に応じた待ち時間に基づいて、バックライトへの電力の供給を再開させる。
【００１４】
好ましくは、待ち時間を表わす数値を記憶するメモリをさらに備え、制御部は、電源スイッチがオンにされた後、メモリから待ち時間を表わす数値を読み出し、液晶パネルに表示する映像信号が入力されているときには、液晶パネルに映像信号を出力し、映像信号を出力してから数値に応じた待ち時間が経過した後に電源からバックライトに電力を供給させる。
【００１５】
好ましくは、待ち時間を表わす数値は、整数値であり、各ディスプレイの制御部は、コマンドに含まれる待ち時間を表わす数値を自身のＩＤ番号とする。
【００１６】
好ましくは、各ディスプレイの制御部は、コマンドに含まれる待ち時間を表わす数値を１だけ増加して修正したコマンドを次のディスプレイへ送信する。
【００１７】
好ましくは、各ディスプレイの制御部は、待ち時間を表わす数値に一定の係数を乗算した値を電源から電力を供給するまでの待ち時間とする。
【発明の効果】
【００１８】
本発明によれば、共通の制御部によって複数のディスプレイの電源を起動するタイミングを制御することなく、電源起動時に発生する突入電流によりブレーカーやヒューズが切れるトラブルを回避できることができる。
【図面の簡単な説明】
【００１９】
【図１】本実施の形態のマルチディスプレイシステムの構成を表わす図である。
【図２】本実施の形態のディスプレイの構成を表わす図である。
【図３】図１および図２のディスプレイのＩＤ番号の設定と電源制御の動作手順を表わすフローチャートである。
【図４】図１および図２のディスプレイのＩＤ番号の設定と電源制御の動作手順を表わすフローチャートである。
【図５】第１のコマンド「ＩＤＳＴ＊＊＊＋」によるディスプレイのＩＤおよび待ち時間の設定の例を説明するための図である。
【図６】負荷回路へ電力が供給されるタイミングを説明するための図である。
【図７】バックライトへ電力が供給されるタイミングを説明するための図である。
【発明を実施するための形態】
【００２０】
以下、本発明の実施形態について図面を参照して説明する。
（マルチディスプレイシステムの構成）
図１は、本実施の形態のマルチディスプレイシステムの構成を表わす図である。
【００２１】
図１に示すように、本実施の形態のディスプレイシステムは、ＰＣ（Personal Computer）と、複数のディスプレイで構成される。
【００２２】
ＰＣおよび複数のディスプレイとの間は、ＲＳ２３２Ｃによってデイジーチェーンで接続される。すなわち、ＰＣ、ディスプレイ＃１、ディスプレイ＃２、ディスプレイ＃３、ディスプレイ＃４、ディスプレイ＃５、ディスプレイ＃６、ディスプレイ＃７、ディスプレイ＃８、ディスプレイ＃９の順に数珠つなぎで接続される。それぞれの装置の間は、ＲＳ２３２Ｃケーブルで接続される。
【００２３】
ディスプレイ＃ｎ（ｎ＝２〜８）の第１のシリアルポートＰ１は、ディスプレイ＃ｎ−１と第２のシリアルポートＰ２と接続され、ディスプレイ＃ｎの第２のシリアルポートＰ２は、ディスプレイ＃ｎ＋１の第１のシリアルポートＰ１と接続される。
【００２４】
ディスプレイ＃９の第１のシリアルポートＰ１は、ディスプレイ＃８の第２のシリアルポートＰ２と接続される。ディスプレイ＃１の第１のシリアルポートＰ１は、ＰＣのシリアルポートＰと接続され、ディスプレイ＃１の第２のシリアルポートＰ２は、ディスプレイ＃２の第１のシリアルポートＰ１と接続される。
【００２５】
複数のディスプレイは、縦に３個、横に３個配置され、全体で１つの画像が表示される。
【００２６】
（ディスプレイの構成）
図２は、本実施の形態のディスプレイの構成を表わす図である。
【００２７】
図２を参照して、ディスプレイは、スケーラ１と、メモリ８と、映像信号入力部３と、シリアル制御部４と、ＬＡＮ（Local Area Network）制御部５と、キー操作部６と、ＩＲ（InfraRed）受信部７と、時計タイマ部１３と、メイン電源２と、ＡＣ電源供給部１４と、液晶表示ユニット９と、バックライト用電源１２とを備える。
【００２８】
ＡＣ電源供給部１４は、ＡＣ電源のスイッチがオンになると、メイン電源２へ電力を供給する。
【００２９】
スケーラ１は、ＬＳＩ(Large Scale Integration)で構成され、内部にはＣＰＵ（Central Processing Unit）またはマイコンを装備し、画像処理や音声処理を行なう、スケーラ１は、ＩＯポートを通じて、メイン電源２へ第１電源制御信号ＣＤを出力し、ＩＯポートを通じて、バックライト用電源１２へ第２電源制御信号ＣＥを出力する。
【００３０】
メイン電源２は、ディスプレイ内部の電気回路を駆動する。メイン電源２は、ＡＣ電源のスイッチがオンされると、常時、スケーラ１へ電力を供給する。メイン電源２は、第１電源制御信号ＣＤがイネーブルになると、スケーラ１およびバックライト１１以外の電気回路（以下、負荷回路という）へ電力を供給する。
【００３１】
バックライト用電源１２は、メイン電源２からの電圧を昇圧して、バックライト１１へ供給する。バックライト用電源１２は、第２電源制御信号ＣＥがイネーブルになると、メイン電源２から供給される電力の電圧を昇圧して、バックライト１１へ供給する。バックライト用電源１２は、一般にインバーター電源である。
【００３２】
映像信号入力部３は、外部からの映像信号が入力される。映像信号入力部３は、具体的には、ＨＤＭＩ（High-Definition Multimedia Interface）端子、ＲＧＢコネクタ、またはＤＶＩ（Digital Visual Interface）端子などで構成される。
【００３３】
シリアル制御部４は、ＲＳ２３２Ｃケーブルと接続される。シリアル制御部４は、第１のコマンド〜第４のコマンド、およびこれらのコマンドに対する応答などのシリアル信号を入出力する。
【００３４】
ＬＡＮ制御部５は、ＬＡＮの信号を入出力する。
キー操作部６は、ユーザからディスプレイを操作するためのキー入力を受付ける。
【００３５】
ＩＲ受信部７は、ディスプレイを操作するリモコンからの制御信号（ＩＲまたはＢｌｕｅｔｏｕｔｈ）を受信する。
【００３６】
メモリ８は、ディスプレイの表示モードおよび各入力信号をユーザの好みに調整するデータやプログラムを記憶する。また、メモリ８は、ディスプレイのＩＤ番号、負荷回路へ電力を供給するための待ち時間である第１ＷＡＩＴ時間ＷＤ、およびバックライト１１へ電力を供給するための待ち時間である第２ＷＡＩＴ時間ＷＥを記憶する。
【００３７】
液晶表示ユニット９は、映像を表示する透過型の液晶パネル１０と、透過型の液晶パネル１０の背面に配置される液晶の表示を見やすくするためのバックライト１１で構成される。バックライト１１には、ＣＣＦＬ（Cold Cathode Fluorescent Lamp）、ＨＣＦＬ（Hot Cathode Fluorescent Lamp）、ＬＥＤ（Light Emitting Diode）等の光源である。
【００３８】
時計タイマ部１３は、第１タイマＴＤ、および第２タイマＴＥを含む。
(動作）
図３および図４は、図１および図２のディスプレイのＩＤ番号の設定と電源制御の動作手順を表わすフローチャートである。
【００３９】
ＡＣ電源供給部１４は、キー操作部６からＡＣ電源のスイッチがオン、またはＩＲ受信部７からリモコンのＡＣ電源のスイッチがオンになると、メイン電源２へ電力を供給する。メイン電源２は、スケーラ１に電力を供給する（ステップＳ１０１）。
【００４０】
次に、スケーラ１は、メモリ８から自装置のＩＤ番号と、負荷回路へ電力を供給するための待ち時間である第１ＷＡＩＴ時間ＷＤ、バックライト１１へ電力を供給するための待ち時間である第２ＷＡＩＴ時間ＷＥを読出す（ステップＳ１０２）。
【００４１】
スケーラ１は、時計タイマ部１３を制御して、負荷回路への電力供給のための第１タイマＴＤをスタートさせる（ステップＳ１０３）。
【００４２】
次に、スケーラ１は、第１タイマＴＤの値が第１ＷＡＩＴ時間ＷＤに達したら、第１電源制御信号ＣＤをイネーブルに設定する（ステップＳ１０４）。
【００４３】
メイン電源２は、第１電源制御信号ＣＤがイネーブルになると、負荷回路へ電力を供給する。これによって、負荷回路が動作する（ステップＳ１０５）。
【００４４】
キー操作部６からのキー入力がある（ステップＳ１０６でＹＥＳ）、または映像信号入力部３からの映像信号の入力がある（ステップＳ１０７でＹＥＳ）場合には、スケーラ１は、液晶パネル１０の解像度に応じて映像信号をスケーリング（拡大または縮小）し、スケーリングによって生成された画像データを液晶パネル１０に転送する。液晶パネル１０は、転送された画像データを表示する（ステップＳ１１９）。
【００４５】
次に、スケーラ１は、時計タイマ部１３を制御して、バックライト１１への電力供給のための第２タイマＴＥをスタートさせる（ステップＳ１２０）。
【００４６】
スケーラ１は、第２タイマＴＥの値が第２ＷＡＩＴ時間ＷＥに達したら、第２電源制御信号ＣＥをイネーブルに設定する（ステップＳ１２１）。
【００４７】
バックライト用電源１２は、第２電源制御信号ＣＥがイネーブルになると、バックライト１１へ電力を供給する。これによって、バックライト１１が点灯し、液晶パネル１０に表示される画像が見える状態となる（ステップＳ１２２）。
【００４８】
スケーラ１は、キー操作部６を通じてユーザから入力されたキー操作のデータをメモリ８から読み出して、実行する（ステップＳ１２３）。
【００４９】
スケーラ１は、シリアル制御部４からのコマンド入力、キー操作部６からのキー入力、および映像信号入力部３からの映像信号入力があるかどうかを監視する。
【００５０】
シリアル制御部４からのコマンド入力があった場合には（ステップＳ１２５でＹＥＳ）、ステップＳ１５１以降の処理に進む。
【００５１】
キー操作部６からのキー入力があった場合には（ステップＳ１２６でＹＥＳ）、キー入力のデータをメモリ８に記憶し（ステップＳ１２７）、ステップＳ１２４に戻る。
【００５２】
映像信号入力部３からの映像信号の入力が継続中の場合には（ステップＳ１２８でＹＥＳ）、ステップＳ１２４に戻る。映像信号の入力が終了した場合には（ステップＳ１２８でＮＯ）、ステップＳ１０８に以降する。
【００５３】
キー操作部６からのキー入力がなく（ステップＳ１０６でＮＯ）、かつ映像信号入力部３からの映像信号の入力がない（ステップＳ１０７でＮＯ）場合には、スケーラ１は、液晶パネル１０にＯＳＤ（オン・スクリーン・ディスプレイ）機能を用いて、「映像信号なし」の画像データを転送する。液晶パネル１０は、転送された画像データを表示する（ステップＳ１０８）。
【００５４】
次に、スケーラ１は、時計タイマ部１３を制御して、バックライト１１への電力供給のための第２タイマＴＥをスタートさせる（ステップＳ１０９）。
【００５５】
スケーラ１は、第２タイマＴＥの値が第２ＷＡＩＴ時間ＷＥに達したら、第２電源制御信号ＣＥをイネーブルに設定する（ステップＳ１１０）。
【００５６】
バックライト用電源１２は、第２電源制御信号ＣＥがイネーブルになると、バックライト１１へ電力を供給する。これによって、バックライト１１が点灯し、液晶パネル１０に表示される画像が見える（ステップＳ１１１）。
【００５７】
その後、スケーラ１は、一定時間が経過したら、第１電源制御信号ＣＤおよび第２電源制御信号ＣＥをディセーブルに設定する。第１電源制御信号ＣＤがディセーブルに設定されると、メイン電源２は、負荷回路への電力供給を停止する。第２電源制御信号ＣＥがディセーブルになると、バックライト用電源１２は、バックライト１１への電力供給を停止する。これによって、負荷回路が動作しないとともにバックライト１１が消灯し、省電力モードに移行する（ステップＳ１１２）。
【００５８】
スケーラ１は、シリアル制御部４からのコマンド入力、キー操作部６からのキー入力、および映像信号入力部３からの映像信号入力があるかどうかを監視する。
【００５９】
シリアル制御部４からのコマンド入力があった場合には（ステップＳ１１４でＹＥＳ）、ステップＳ１５１以降の処理に進む。
【００６０】
キー操作部６からのキー入力があった場合には（ステップＳ１１５でＹＥＳ）、キー入力のデータをメモリ８に記憶し（ステップＳ１１６）、ステップＳ１０２に戻る。
【００６１】
映像信号入力部３からの映像信号の入力があった場合には（ステップＳ１１７でＹＥＳ）、省電力モードから復帰し（ステップＳ１１８）、ステップＳ１０２に戻り、映像信号の入力がない場合には（ステップＳ１１７でＮＯ）、ステップＳ１１３に戻る。
【００６２】
スケーラ１は、シリアル制御部４からのコマンド入力があった場合には、コマンドを分析し、以下のようにコマンドに応じた処理を行なう（ステップＳ１５１）。
【００６３】
スケーラ１は、第１のシリアルポートＰ１に入力されたコマンドが「ＩＤＳＴ」で始まる第１のコマンドの場合には（ステップＳ１５２でＹＥＳ）、第１のコマンドに含まれ、「ＩＤＳＴ」に続く指定番号ｎを自装置のＩＤ番号としてメモリ８に記憶する（ステップＳ１５３）。
【００６４】
さらに、スケーラ１は、デフォルト値（０秒）を第１ＷＡＩＴ時間ＷＤとしてメモリ８に記憶し、デフォルト値（０秒）を第２ＷＡＩＴ時間ＷＥとしてメモリ８に記憶する（ステップＳ１５４）。
【００６５】
さらに、スケーラ１は、第１のコマンドの最後に「＋」が付いている場合には（ステップＳ１５５でＹＥＳ）、受取った指定番号ｎをインクリメントし、インクリメントした値（ｎ＋１）を指定番号として含み、かつ最後に「＋」を含む第１のコマンドを第２のシリアルポートＰ２に接続されている次のディスプレイへ出力する（ステップＳ１５６）。
【００６６】
次に、スケーラ１は、第１のシリアルポートＰ１に接続されている前のディスプレイ（またはＰＣ）へ「ＯＫ」と自装置のＩＤ番号からなる応答を出力する（ステップＳ１５７）。
【００６７】
スケーラ１は、第１のシリアルポートＰ１に入力されたコマンドが「ＩＤＰＰ」で始まる第２のコマンドの場合には（ステップＳ１５８でＹＥＳ）、第２のコマンドに含まれ、「ＩＤＰＰ」に続く指定番号ｎを自装置のＩＤ番号としてメモリ８に記憶する（ステップＳ１５９）。
【００６８】
さらに、スケーラ１は、ｎ（＝ＩＤ番号）×ΔＴ１秒を第１ＷＡＩＴ時間ＷＤとしてメモリ８に記憶する（ステップＳ１６０）。
【００６９】
さらに、スケーラ１は、第２のコマンドの最後に「＋」が付いている場合には（ステップＳ１６１でＹＥＳ）、受取った指定番号ｎをインクリメントし、インクリメントした値（ｎ＋１）を指定番号として含み、かつ最後に「＋」を含む第２のコマンドを第２のシリアルポートＰ２に接続されている次のディスプレイへ出力する（ステップＳ１６１）。
【００７０】
次に、スケーラ１は、第１のシリアルポートＰ１に接続されている前のディスプレイ（またはＰＣ）へ「ＯＫ」と自装置のＩＤ番号からなる応答を出力する（ステップＳ１５７）。
【００７１】
スケーラ１は、第１のシリアルポートＰ１に入力されたコマンドが「ＩＤＰＳ」で始まる第３のコマンドの場合には（ステップＳ１６３でＹＥＳ）、第３のコマンドに含まれ、「ＩＤＰＳ」に続く指定番号ｎを自装置のＩＤ番号としてメモリ８に記憶する（ステップＳ１６４）。
【００７２】
さらに、スケーラ１は、ｎ（＝ＩＤ番号）×ΔＴ２秒を第２ＷＡＩＴ時間ＷＥとしてメモリ８に記憶する（ステップＳ１６５）。
【００７３】
さらに、スケーラ１は、第３のコマンドの最後に「＋」が付いている場合には（ステップＳ１６６でＹＥＳ）、受取った指定番号ｎをインクリメントし、インクリメントした値（ｎ＋１）を指定番号として含み、かつ最後に「＋」を含む第３のコマンドを第２のシリアルポートＰ２に接続されている次のディスプレイへ出力する（ステップＳ１６６）。
【００７４】
次に、スケーラ１は、第１のシリアルポートＰ１に接続されている前のディスプレイ（またはＰＣ）へ「ＯＫ」と自装置のＩＤ番号からなる応答を出力する（ステップＳ１５７）。
【００７５】
スケーラ１は、第１のシリアルポートＰ１に入力されたコマンドが「ＩＤＸＸ」で始まる第４のコマンドの場合には（ステップＳ１６８でＹＥＳ）、第４のコマンドに含まれ、「ＩＤＸＸ」に続く指定番号ｎを自装置のＩＤ番号としてメモリ８に記憶する（ステップＳ１６９）。
【００７６】
さらに、スケーラ１は、ｎ（＝ＩＤ番号）×ΔＴ１秒を第１ＷＡＩＴ時間ＷＤとしてメモリ８に記憶し、ｎ（＝ＩＤ番号）×ΔＴ２秒を第２ＷＡＩＴ時間ＷＥとしてメモリ８に記憶する（ステップＳ１７０）。
【００７７】
さらに、スケーラ１は、第４のコマンドの最後に「＋」が付いている場合には（ステップＳ１７１でＹＥＳ）、受取った指定番号ｎをインクリメントし、インクリメントした値（ｎ＋１）を指定番号として含み、かつ最後に「＋」を含む第４のコマンドを第２のシリアルポートＰ２に接続されている次のディスプレイへ出力する（ステップＳ１７２）。
【００７８】
次に、スケーラ１は、第１のシリアルポートＰ１に接続されている前のディスプレイ（またはＰＣ）へ「ＯＫ」と自装置のＩＤ番号からなる応答を出力する（ステップＳ１５７）。
【００７９】
スケーラ１は、第２のシリアルポートＰ２に入力されたコマンドが「ＯＫ」とＩＤ番号からなる応答の場合には（ステップＳ１７３でＹＥＳ）、第１のシリアルポートＰ１に接続されている前のディスプレイ（またはＰＣ）へこの応答を送信する（ステップＳ１７４）。
【００８０】
映像信号表示中の場合には（ステップＳ１７５でＹＥＳ）、スケーラ１は、ステップＳ１２４に戻る。映像信号表示中でない場合には（ステップＳ１７５でＮＯ）、スケーラ１は、ステップＳ１１３に戻る。
【００８１】
（第１のコマンドによるディスプレイのＩＤおよび待ち時間の設定の例）
図５は、第１のコマンド「ＩＤＳＴ＊＊＊＋」によるディスプレイのＩＤおよび待ち時間の設定の例を説明するための図である。
【００８２】
ＰＣに近い方のディスプレイからＩＤ番号が順番に設定される。第１のコマンド「ＩＤＳＴ＊＊＊＋」は、ディスプレイへ割り当てるＩＤ番号とバックライト１１のオン（バックライト１１へ電力を供給する）の待ち時間である第２ＷＡＩＴ時間ＷＥを設定するコマンドである。「＊＊＊」は、ＩＤ番号を表わす。「＋」はリピータ制御を表わす。第１のコマンドに対して、応答「ＯＫ＊＊＊」が返信される。「＊＊＊」は、ＩＤ番号を表わす。
【００８３】
まず、ＰＣは、自装置のシリアルポートＰに接続されたディスプレイに対して、第１のコマンド「ＩＤＳＴ００１＋１」を発行する。
【００８４】
第１のシリアルポートＰ１を介して「ＩＤＳＴ００１＋１」のコマンドを受信したディスプレイ＃１は、自装置のＩＤ番号を「１」に設定し、第２ＷＡＩＴ時間ＷＥを「１×ΔＴ２」に設定する。ＩＤ番号「１」のディスプレイ＃１は、応答「ＯＫ００１」を第１のシリアルポートＰ１を介してＰＣへ送信する。ＰＣは、シリアルポートＰを介して「ＯＫ００１」を受信すると、「ＯＫ００１」を自身のモニタに表示する。ＩＤ番号が「１」のディスプレイ＃１は、ＩＤ番号をインクリメントし、自装置の第２のシリアルポートＰ２に接続されたディスプレイ＃２に第１のコマンド「ＩＤＳＴ００２＋」を発行する。
【００８５】
第１のシリアルポートＰ１を介して「ＩＤＳＴ００２＋１」のコマンドを受信したディスプレイ＃２は、自装置のＩＤ番号を「２」に設定し、第２ＷＡＩＴ時間ＷＥを「２×ΔＴ２」に設定する。ＩＤ番号「２」のディスプレイ＃２は、「ＯＫ００２」を第１のシリアルポートＰ１を介してＰＣへ送信する。ＩＤ番号が「１」のディススプレイ＃１は、第２のシリアルポートＰ２を通じて応答「ＯＫ００２」を受信する。ＩＤ番号が「１」のディススプレイ＃１は、第１のシリアルポートＰ１を通じて応答「ＯＫ００２」をＰＣへ送信する。ＰＣは、シリアルポートＰを介して「ＯＫ００２」を受信すると、「ＯＫ００２」を自身のモニタに表示する。ＩＤ番号が「２」に設定されたディスプレイ＃２は、ＩＤ番号をインクリメントし、接続されている次のディスプレイ＃３に「ＩＤＳＴ００３＋」のコマンドを発行する。
【００８６】
同様の処理が、ディスプレイ＃３〜ディスプレイ＃８について行なわれる。
最後に、第１のシリアルポートＰ１を介して「ＩＤＳＴ００９＋１」のコマンドを受信したディスプレイ＃９は、自装置のＩＤ番号を「９」に設定する。ＩＤ番号「９」のディスプレイ＃９は、「ＯＫ００９」を第１のシリアルポートＰ１を通じてＩＤ番号が「８」のディススプレイ＃８へ送信する。ＩＤ番号が「８」のディススプレイは、第２のシリアルポートＰ２を通じて応答「ＯＫ００９」を受信する。ＩＤ番号が「８」のディススプレイは、第１のシリアルポートＰ１を通じて応答「ＯＫ００９」をＩＤ番号が「７」のディススプレイへ送信する。ＩＤ番号が「７」〜「１」のディスプレイがこれを繰返すことによって、ＰＣが、シリアルポートＰを介して「ＯＫ００９」を受信すると、「ＯＫ００９」を自身のモニタに表示する。ＩＤ番号が「９」に設定されたディスプレイは、ＩＤ番号をインクリメントし、接続されている次のディスプレイに「ＩＤＳＴ０１０＋」のコマンドを発行する。
【００８７】
１０台目のディスプレイが接続されていないため、ＰＣは、応答「ＯＫ０１０」を受信しない。その結果、ＰＣは、９台のディスプレイが接続されていることが認識できる。
【００８８】
第２のコマンド「ＩＤＰＰ＊＊＊＋」、第３のコマンド「ＩＤＰＳ＊＊＊＋」、および第４のコマンド「ＩＤＸＸ＊＊＊＋」によるＩＤ番号の割当て、および待ち時間の設定も上記と同様の手続き（ただし、設定される待ち時間が異なる）なので、説明は繰返さない。
【００８９】
（負荷回路へ電力が供給されるタイミング）
図６は、負荷回路へ電力が供給されるタイミングを説明するための図である。
【００９０】
図６では、負荷回路へ電力が供給されるタイミングは、ΔＴ１秒単位設定される。
ディスプレイ（ＩＤ:１)〜ディスプレイ（ＩＤ:８)のすべてに同時にＡＣ電源のスイッチがオンされる。
【００９１】
ディスプレイ（ＩＤ:１)は、ＡＣ電源のスイッチがオンにされてからΔＴ１秒後に、負荷回路へ電力が供給されてディスプレイが動作を始める。
【００９２】
ディスプレイ（ＩＤ:２)は、ＡＣ電源のスイッチがオンにされてから２×ΔＴ１秒後に、負荷回路へ電力が供給されてディスプレイが動作を始める。
【００９３】
同様に、順次ディスプレイ（ＩＤ:n)まで、ＡＣ電源のスイッチがオンにされてからｎ×ΔＴ１秒後に、負荷回路へ電力が供給されてディスプレイが動作を始める。
【００９４】
以上のようにして、負荷回路へ電力が供給されるタイミングがディスプレイごとに相違するので、突入電流を抑制することができる。
【００９５】
（バックライト１１へ電力が供給されるタイミング）
図７は、バックライト１１へ電力が供給されるタイミングを説明するための図である。
【００９６】
図７では、バックライト１１へ電力が供給されるタイミングは、ΔＴ２秒単位設定される。
【００９７】
ディスプレイ（ＩＤ:１)〜ディスプレイ（ＩＤ:８)のすべてに同時にＡＣ電源のスイッチがオンされる。
【００９８】
ディスプレイ（ＩＤ:１)は、ＡＣ電源のスイッチがオンにされてからΔＴ２秒後に、バックライト１１へ電力が供給されて、バックライト１１が点灯し液晶パネル１０に表示された映像が見える。
【００９９】
ディスプレイ（ＩＤ:２)は、ＡＣ電源のスイッチがオンにされてから２×ΔＴ２秒後に、バックライト１１へ電力が供給されて、バックライト１１が点灯し液晶パネル１０に表示された映像が見える。
【０１００】
同様に、順次ディスプレイ（ＩＤ:n)まで、ＡＣ電源のスイッチがオンにされてからｎ×ΔＴ２秒後に、バックライト１１へ電力が供給されて、バックライト１１が点灯し液晶パネル１０に表示された映像が見える。
【０１０１】
以上のようにして、バックライト１１へ電力が供給されるタイミングがディスプレイごとに相違するので、突入電流を抑制することができる。
【０１０２】
（効果）
以上のように、本実施の形態によれば、複数台のディスプレイを接続してマルチ表示を行なう場合、負荷回路およびバックライト１１の電源が順番にオンになるので、同時に電源がオンになることによる突入電流が増大するのを防止し、屋内配線のブレーカーやヒューズが切れるトラブルを回避することができる。
【０１０３】
（変形例）
本発明は、上記の実施形態に限定されるものではなく、たとえば以下のような変形例も含む。
【０１０４】
（１）  ＩＤ番号、待ち時間
本発明の実施形態では、第１〜第４のコマンドの後に続く数値をコマンドを受信したディスプレイのＩＤ番号したが、ＩＤ番号を割り当てることは必須ではない。また、コマンドに続く数値は、整数値に限定されない。
【０１０５】
また、コマンドの後に続く数値を１だけ増加して修正したコマンドを次のディスプレイに送信したが、１以外の任意の量（整数値または小数値）だけ増加して修正したコマンドを次のディスプレイへ送信することとしてもよい。
【０１０６】
本発明の実施形態では、第１ＷＡＩＴ時間をＩＤ番号×ΔＴ１、第２ＷＡＩＴ時間をＩＤ番号×ΔＴ２としたが、このΔＴ１、ΔＴ２は、「１」であってもよい。
【０１０７】
（２）  省電力モード
本発明の実施形態では、ステップＳ１１２の省電力モードでは、第１電源制御信号ＣＤおよび第２電源制御信号ＣＥをディセーブルに設定し、負荷回路への電力供給を停止するとともに、バックライト１１への電力供給を停止することとしたが、これに限定するものではない。たとえば、第２電源制御信号ＣＥのみをディセーブルに設定して、バックライト１１への電力供給を停止することとしてもよい。
【０１０８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０９】
１  スケーラ、２  メイン電源、３  映像信号入力部、４  シリアル制御部、５  ＬＡＮ制御部、６  キー操作部、７  ＩＲ受信部、８  メモリ、９  液晶表示ユニット、１０  液晶パネル、１１  バックライト、１２  バックライト用電源、１３  時計タイマ部、１４  ＡＣ電源供給部。
【図１】
0005595244.tif 000002
【図２】
0005595244.tif 000003
【図３】
0005595244.tif 000004
【図４】
0005595244.tif 000005
【図５】
0005595244.tif 000006
【図６】
0005595244.tif 000007
【図７】
0005595244.tif 000008